(57)【特許請求の範囲】
【請求項１】
ファイルが格納された複数のフォルダが記録された記録媒体からファイルを読み取ってそのファイルを再生するオーディオ装置において、
複数のプリセットキーと、
それぞれのフォルダ内のオーディオファイルが再生された回数をフォルダ毎に蓄積する蓄積手段と、
前記蓄積手段により蓄積された再生回数の多いフォルダから順に前記複数のプリセットキーに対応付けした対応関係を記憶部に記憶する記憶手段と、
前記複数のプリセットキーの何れかが押下された場合に、前記記憶手段により記憶された対応関係に基づき、前記複数のプリセットキーのうち押下されたものに対応付けられたフォルダ内のファイルを順次読み取って再生する再生手段と、を備えることを特徴とするオーディオ装置。
【請求項２】
ファイルが格納された複数のフォルダが記録された記録媒体からファイルを読み取ってそのファイルを再生するオーディオ装置において、
複数のプリセットキーと、
オーディオ機能とラジオ機能のうち何れかを選択するための機能切替キーと、
前記機能切替キーによってオーディオ機能が選択されている場合に、それぞれのフォルダ内のオーディオファイルが再生された回数をフォルダ毎に蓄積する蓄積手段と、
前記機能切替キーによってオーディオ機能が選択されている場合に、前記蓄積手段により蓄積された再生回数の多いフォルダから順に前記複数のプリセットキーに対応付けした対応関係を記憶部に記憶する記憶手段と、
前記機能切替キーによってオーディオ機能が選択されている場合に、前記複数のプリセットキーの何れかが押下されたときに、前記記憶手段により記憶された対応関係に基づき、前記複数のプリセットキーのうち押下されたものに対応付けられたフォルダ内のファイルを順次読み取って再生する再生手段と、
受信する電波の周波数を同調させるチューナーと、
前記機能切替キーによってラジオ機能が選択されている場合に、前記チューナーによる同調中に前記プリセットキーが所定時間より長く押下されたときに、前記チューナーの同調周波数を前記プリセットキーに対応付けした対応関係を前記記憶部に記憶する第２記憶手段と、
前記機能切替キーによってラジオ機能が選択されている場合に、前記プリセットキーが前記所定時間より短く押下されたときに、前記第２記憶手段により記憶された対応関係に基づき前記プリセットキーに対応付けられた同調周波数で前記チューナーに同調させる手段と、を更に備えることを特徴とするオーディオ装置。
【請求項３】
ファイルが格納された複数のフォルダが記録された記録媒体からシステムコントローラがファイルを読み取ってそのファイルを再生するオーディオ再生方法において、
前記システムコンローラが、
それぞれのフォルダ内のオーディオファイルが再生された回数をフォルダ毎に蓄積し、
蓄積された再生回数の多いフォルダから順に複数のプリセットキーに対応付けした対応関係を記憶部に記憶し、
前記複数のプリセットキーの何れかが押下された場合に、前記記憶部に記憶された対応関係に基づき、前記複数のプリセットキーのうち押下されたものに対応付けられたフォルダ内のファイルを順次読み取って再生することを特徴とするオーディオ再生方法。
【請求項４】
ファイルが格納された複数のフォルダが記録された記録媒体からシステムコントローラがファイルを読み取ってそのファイルを再生するオーディオ再生方法において、
前記システムコンローラが、
オーディオ機能とラジオ機能のうち何れかを選択するための機能切替キーによってオーディオ機能が選択されている場合に、それぞれのフォルダ内のオーディオファイルが再生された回数をフォルダ毎に蓄積し、
前記機能切替キーによってオーディオ機能が選択されている場合に、蓄積された再生回数の多いフォルダから順に複数のプリセットキーに対応付けした対応関係を記憶部に記憶し、
前記機能切替キーによってオーディオ機能が選択されている場合に、前記複数のプリセットキーの何れかが押下されたときに、前記記憶部に記憶された対応関係に基づき、前記複数のプリセットキーのうち押下されたものに対応付けられたフォルダ内のファイルを順次読み取って再生し、
前記機能切替キーによってラジオ機能が選択されている場合に、受信する電波の周波数を同調させるチューナーによる同調中に前記プリセットキーが所定時間より長く押下されたときに、前記チューナーの同調周波数を前記プリセットキーに対応付けした第２対応関係を前記記憶部に記憶し、
前記機能切替キーによってラジオ機能が選択されている場合に、前記プリセットキーが前記所定時間より短く押下されたときに、前記記憶部に記憶された第２対応関係に基づき前記プリセットキーに対応付けられた同調周波数で前記チューナーに同調させることを特徴とするオーディオ再生方法。
【発明の詳細な説明】
【技術分野】
【０００１】
本発明は、オーディオ装置及びオーディオ再生方法に関する。
【背景技術】
【０００２】
近年、車載用オーディオプレイヤーは、ＣＤ−ＤＡ型の記録方式の音楽ＣＤに記録された曲だけなく、ＣＤ−ＲＯＭ型のデータＣＤに記録された曲（例えば、ＭＰ３形式の音楽ファイル）も再生できるようになっている。
【０００３】
また、曲の好みが人それぞれ異なるため、ＣＤに記録された曲のなかにはユーザにとって聴きたい曲や聴きたくない曲が混じってＣＤに記録されている。そのため、ユーザにとって聴きたくない曲を飛ばし、次の曲を再生するような車載用オーディオプレイヤーが開発されている（例えば、特許文献１参照。）。
【０００４】
また、車載用オーディオプレイヤーにはトラックアップキー、トラックダウンキーが設けられ、聴きたくない曲が再生された場合には、ユーザがトラックアップキー又はトラックダウンキーを操作することによって、その曲が飛ばされて次の曲が再生される。
【特許文献１】特開平１１−３０６７４０号公報
【発明の開示】
【発明が解決しようとする課題】
【０００５】
しかしながら、ＣＤに多数の曲が記録されていると、ユーザがトラックアップキー又はトラックダウンキーを操作することで多数の曲の中から好みの曲を選曲するには多くの時間を要する。聴きたくない曲を飛ばして次の曲を再生するような車載用オーディオプレイヤーにおいても、目的とする好みの曲が再生されるまでには時間を要し、その目的の曲をすぐに再生するにはユーザがトラックアップキー又はトラックダウンキーを操作する必要がある。
【０００６】
そこで、本発明は上記課題を解決しようとしてなされたものであり、好みの曲をすぐに再生することができるオーディオ装置及びオーディオ再生方法を提供することを目的とする。
【課題を解決するための手段】
【０００７】
以上の課題を解決するために、本発明においては、請求項１に記載のオーディオ装置は、ファイルが格納された複数のフォルダが記録された記録媒体からファイルを読み取ってそのファイルを再生するオーディオ装置において、複数のプリセットキーと、それぞれのフォルダ内のオーディオファイルが再生された回数をフォルダ毎に蓄積する蓄積手段と、前記蓄積手段により蓄積された再生回数の多いフォルダから順に前記複数のプリセットキーに対応付けした対応関係を記憶部に記憶する記憶手段と、前記複数のプリセットキーの何れかが押下された場合に、前記記憶手段により記憶された対応関係に基づき、前記複数のプリセットキーのうち押下されたものに対応付けられたフォルダ内のファイルを順次読み取って再生する再生手段と、を備えることを特徴とする。
【０００８】
請求項２に記載のオーディオ装置は、ファイルが格納された複数のフォルダが記録された記録媒体からファイルを読み取ってそのファイルを再生するオーディオ装置において、複数のプリセットキーと、オーディオ機能とラジオ機能のうち何れかを選択するための機能切替キーと、前記機能切替キーによってオーディオ機能が選択されている場合に、それぞれのフォルダ内のオーディオファイルが再生された回数をフォルダ毎に蓄積する蓄積手段と、前記機能切替キーによってオーディオ機能が選択されている場合に、前記蓄積手段により蓄積された再生回数の多いフォルダから順に前記複数のプリセットキーに対応付けした対応関係を記憶部に記憶する記憶手段と、前記機能切替キーによってオーディオ機能が選択されている場合に、前記複数のプリセットキーの何れかが押下されたときに、前記記憶手段により記憶された対応関係に基づき、前記複数のプリセットキーのうち押下されたものに対応付けられたフォルダ内のファイルを順次読み取って再生する再生手段と、受信する電波の周波数を同調させるチューナーと、前記機能切替キーによってラジオ機能が選択されている場合に、前記チューナーによる同調中に前記プリセットキーが所定時間より長く押下されたときに、前記チューナーの同調周波数を前記プリセットキーに対応付けした対応関係を前記記憶部に記憶する第２記憶手段と、前記機能切替キーによってラジオ機能が選択されている場合に、前記プリセットキーが前記所定時間より短く押下されたときに、前記第２記憶手段により記憶された対応関係に基づき前記プリセットキーに対応付けられた同調周波数で前記チューナーに同調させる手段と、を更に備えることを特徴とする。
【０００９】
請求項３に記載のオーディオ再生方法は、フファイルが格納された複数のフォルダが記録された記録媒体からシステムコントローラがファイルを読み取ってそのファイルを再生するオーディオ再生方法において、前記システムコンローラが、それぞれのフォルダ内のオーディオファイルが再生された回数をフォルダ毎に蓄積し、蓄積された再生回数の多いフォルダから順に複数のプリセットキーに対応付けした対応関係を記憶部に記憶し、前記複数のプリセットキーの何れかが押下された場合に、前記記憶部に記憶された対応関係に基づき、前記複数のプリセットキーのうち押下されたものに対応付けられたフォルダ内のファイルを順次読み取って再生することを特徴とする。
【００１０】
請求項４に記載のオーディオ再生方法は、ファイルが格納された複数のフォルダが記録された記録媒体からシステムコントローラがファイルを読み取ってそのファイルを再生するオーディオ再生方法において、前記システムコンローラが、オーディオ機能とラジオ機能のうち何れかを選択するための機能切替キーによってオーディオ機能が選択されている場合に、それぞれのフォルダ内のオーディオファイルが再生された回数をフォルダ毎に蓄積し、前記機能切替キーによってオーディオ機能が選択されている場合に、蓄積された再生回数の多いフォルダから順に複数のプリセットキーに対応付けした対応関係を記憶部に記憶し、前記機能切替キーによってオーディオ機能が選択されている場合に、前記複数のプリセットキーの何れかが押下されたときに、前記記憶部に記憶された対応関係に基づき、前記複数のプリセットキーのうち押下されたものに対応付けられたフォルダ内のファイルを順次読み取って再生し、前記機能切替キーによってラジオ機能が選択されている場合に、受信する電波の周波数を同調させるチューナーによる同調中に前記プリセットキーが所定時間より長く押下されたときに、前記チューナーの同調周波数を前記プリセットキーに対応付けした第２対応関係を前記記憶部に記憶し、前記機能切替キーによってラジオ機能が選択されている場合に、前記プリセットキーが前記所定時間より短く押下されたときに、前記記憶部に記憶された第２対応関係に基づき前記プリセットキーに対応付けられた同調周波数で前記チューナーに同調させることを特徴とする。
【発明の効果】
【００１３】
本発明によれば、プリセットキーを押下することですぐにお好み曲が再生される。
【発明を実施するための最良の形態】
【００１４】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１５】
図１は車載用オーディオ装置１のブロック図であり、図２は車載用オーディオ装置１の正面図である。図１、図２に示すように、車載用オーディオ装置１は、システムコントローラ２と、ＲＡＭ３と、記憶部４と、表示部５と、入力部６と、アンテナ７と、チューナー８と、復調部９と、切替スイッチ１０と、読取部１１と、コーデック１２と、アンプ１３と、スピーカ１４とを備える。
【００１６】
チューナー８は、フェイズロックループを用いた同調回路を有し、放送信号を選択的に抽出するためのものである。より具体的には、チューナー８は、アンテナ７を介して受信される電波から、同調周波数帯に含まれる放送信号を選択的に抽出し、放送局を選局する。
【００１７】
復調部９は、チューナー８により選択的に抽出された受信信号を復調して、そのオーディオ信号を切替スイッチ１０を介してアンプ１３に出力する。
【００１８】
読取部１１は、記録媒体１５に記録された情報を読み取る。記録媒体１５は、コンパクトディスク、ハードディスク又は半導体記録媒体であり、読取部１１にとって読取可能な記録媒体である。記録媒体１５には、ＭＰ３形式のオーディオファイルが記録されている。また、図３に示すように、記録媒体１５には、複数のフォルダがツリー状に階層化された状態で各フォルダにオーディオファイルが記録されている。各フォルダに固有の番号及び名称が対応付けられている。それぞれのフォルダではオーディオファイルに固有の番号及び名称がオーディオファイルに対応付けられている。
【００１９】
コーデック１２は、読取部１１によって読み取られたオーディオファイルを伸長してアナログ化し、オーディオ信号を切替スイッチ１０を介してアンプ１３に出力する。切替スイッチ１０は、コーデック１２から入力されたオーディオ信号と、復調部９から入力したオーディオ信号を選択的にアンプ１３に出力する。アンプ１３は、コーデック１２から切替スイッチ１０を介して入力したオーディオ信号や、システムコントローラ２から切替スイッチ１０を介して入力したオーディオ信号を増幅してスピーカ１４に出力する。スピーカ１４は、アンプ１３から入力したオーディオ信号を音に変換する電気音響変換器であり、アンプ１３から入力したオーディオ信号に従って音を出力する。
【００２０】
システムコントローラ２は、ＣＰＵ等を有し、記憶部４に格納されたプログラムに従って車載用オーディオ装置１の統括的な制御を行う機能を有する。例えば、システムコントローラ２は、チューナー８の同調周波数を設定する機能と、切替スイッチ１０に出力の切替を行わせる機能と、記録媒体１５に格納された情報を読取部１１に行わせる機能と、オーディオファイルの再生をコーデック１２に行わせる機能とを有する。
【００２１】
記憶部４は読み書き可能な不揮発性の半導体記憶媒体又は読み書き可能はハードディスクであり、記憶部４には、システムコントローラ２にとって読取可能・実行可能なプログラムが格納されている。
【００２２】
ＲＡＭ３は、システムコントローラ２にワークエリアを提供し、システムコントローラ２によるプログラムの実行時に生じる処理結果等のデータをワークエリアに一時的に記憶する。
【００２３】
表示部５は、液晶ディスプレイ又はエレクトロルミネッセンスディスプレイいった表示装置であり、システムコントローラ２から入力される表示制御信号に従って表示を行う。例えば、表示部５には、選択されたフォルダの番号と名称が表示されたり、再生中のオーディオファイルの番号と名称が表示されたりする。
【００２４】
入力部６は、各種の入力キーを有し、これら入力キーに対応する操作信号をシステムコントローラ２に出力する。入力部６の入力キーとしては、図２に示すように、プリセット・ファンクション兼用キー６１〜６６、モード切替キー６７、機能切替キー６８、上キー７１、左キー７２、下キー７３及び右キー７４がある。
【００２５】
機能切替キー６８は、車載用オーディオ装置１をラジオ機能からオーディオ機能へ又はその逆に切り替えるためのキーとして割り当てられている。具体的には、機能切替キー６８が押下されると、システムコントローラ２から切替スイッチ１０に切替信号が出力され、復調部９から切替スイッチ１０に入力したオーディオ信号がアンプ１３に出力された状態からコーデック１２から切替スイッチ１０に入力したオーディオ信号がアンプ１３に出力される状態へ又はその逆に切り替わる。なお、車載用オーディオ装置１がラジオ機能として動作している場合には、切替スイッチ１０は復調部９から入力したオーディオ信号をアンプ１３に出力する状態であり、一方、車載用オーディオ装置１がオーディオ機能として動作している場合には、切替スイッチ１０はコーデック１２から入力したオーディオ信号をアンプ１３に出力する状態である。
【００２６】
上キー７１がボリュームアップキーとして割り当てられ、上キー７１が押下されるとスピーカ１４から出力される音が大きくなる。下キー７３がボリュームダウンキーとして割り当てられ、下キー７３が押下されるとスピーカ１４から出力される音が小さくなる。
【００２７】
左キー７２はダウンキーとして割り当てられ、右キー７４はアップキーとして割り当てられる。即ち、車載用オーディオ装置１がオーディオ機能として動作している場合に、記録媒体１５に記録されたフォルダの中から１つのフォルダがシステムコントローラ２によって選択されているときに、左キー７２が押下されると、システムコントローラ２がそのフォルダ内の再生中のオーディオファイルの前のオーディオファイルを読取部１１に読み取らせ、その読み取ったオーディオファイルをコーデック１２に再生させる。一方、右キー７４が押下されると、システムコントローラ２がそのフォルダ内の再生中のオーディオファイルの次のオーディオファイルを読取部１１に読み取らせ、その読み取ったオーディオファイルをコーデック１２に再生させる。
【００２８】
機能切替キー６８によって車載用オーディオ装置１がラジオ機能として動作している場合には、左キー７２が押下されると、システムコントローラ２がチューナー８の同調周波数をアップさせ、右キー７４が押下されると、システムコントローラ２がチューナー８の同調周波数をダウンさせる。
【００２９】
プリセット・ファンクション兼用キー６１〜６６は、プリセットキーとして割り当てられ、更にファンクションキーとしても割り当てられる。モード切替キー６７は、プリセット・ファンクション兼用キー６１〜６６をプリセットキーとして割り当てた状態からファンクションキーとして割り当てた状態へ又はその逆に切り替えるためのキーとして割り当てられている。具体的には、モード切替キー６７が押下されると、システムコントローラ２がプリセット・ファンクション兼用キー６１〜６６をファンクションキーとして割り当て、モード切替キー６７がもう一回押下されると、システムコントローラ２がプリセット・ファンクション兼用キー６１〜６６をファンクションキーとして割り当てる。
【００３０】
モード切替キー６７の押下によりシステムコントローラ２がプリセット・ファンクション兼用キー６１〜６６をファンクションキーとして割り当てた場合について説明する。
【００３１】
プリセット・ファンクション兼用キー６１は、ランダム再生機能キーとして割り当てられる。即ち、記録媒体１５に記録されたフォルダの中から１つのフォルダがシステムコントローラ２によって選択されている場合、プリセット・ファンクション兼用キー６１が押下されると、システムコントローラ２がそのフォルダ内のオーディオファイルを再生する順番をランダムに決定する。
【００３２】
プリセット・ファンクション兼用キー６２は、スキャン再生機能キーとして割り当てられる。即ち、記録媒体１５に記録されたフォルダの中から１つのフォルダがシステムコントローラ２によって選択されている場合、プリセット・ファンクション兼用キー６２が押下されると、システムコントローラ２がそのフォルダ内のオーディオファイルの最初の所定期間だけを順番に再生する。
【００３３】
プリセット・ファンクション兼用キー６３は、上キー７１、左キー７２、下キー７３及び右キー７４の割り当てを切り替えるためのフォルダセレクト機能キーとして割り当てられる。即ち、記録媒体１５に記録されたフォルダの中から１つのフォルダがシステムコントローラ２によって選択されている場合、プリセット・ファンクション兼用キー６３が押下されると、上キー７１、左キー７２、下キー７３及び右キー７４がフォルダ選択キーとして割り当てられる。一方、上キー７１、左キー７２、下キー７３及び右キー７４がフォルダ選択キーとして割り当てられた場合に、プリセット・ファンクション兼用キー６３が押下されると、上キー７１、左キー７２、下キー７３、右キー７４がそれぞれボリュームアップキー、ダウンキー、ボリュームダウンキー、アップキーとして割り当てられる。
【００３４】
上キー７１、左キー７２、下キー７３及び右キー７４がフォルダ選択キーとして割り当てられている場合、上キー７１が押下されると、システムコントローラ２によって選択されるフォルダが同一階層の前のフォルダに変わり、下キー７３が押下されると、システムコントローラ２によって選択されるフォルダが同一階層の次のフォルダに変わり、左キー７２が押下されると、システムコントローラ２によって選択されるフォルダが上の階層のフォルダに変わり、右キー７４が押下されると、システムコントローラ２によって選択されるフォルダが下の階層のフォルダに変わる。
【００３５】
モード切替キー６７の押下によりシステムコントローラ２がプリセット・ファンクション兼用キー６１〜６６をプリセットキーとして割り当てた場合について説明する。
【００３６】
車載用オーディオ装置１がオーディオ機能として動作している場合に、記録媒体１５に記録されたフォルダの中から１つのフォルダがシステムコントローラ２によって選択されて、そのフォルダ内のオーディオファイルがシステムコントローラ２によって選択されてコーデック１２によって再生されているときに、プリセット・ファンクション兼用キー６１が所定時間よりも長く押下されると（以下、所定時間よりも長い押下を長押しといい、その所定時間よりも短い押下を短押しという。）、システムコントローラ２は現在再生中のオーディオファイルをプリセット・ファンクション兼用キー６１に対応付した対応関係を記憶部４に記憶する。プリセット・ファンクション兼用キー６２〜６６が長押しされた場合でも同様に、システムコントローラ２は現在再生中のオーディオファイルをプリセット・ファンクション兼用キー６２〜６６に対応付けした対応関係を記憶部４に記憶する。
【００３７】
また、車載用オーディオ装置１がオーディオ機能として動作している場合、プリセット・ファンクション兼用キー６１が短押しされると、システムコントローラ２は記憶部４に記憶された対応関係に基づきプリセット・ファンクション兼用キー６１に対応付けされたオーディオファイルを選択し、そのオーディオファイルを読取部１１に読み取らせ、その読み取ったオーディオファイルをコーデック１２に再生させる。プリセット・ファンクション兼用キー６２〜６６が短押しされた場合でも同様に、システムコントローラ２は記憶部４に記憶された対応関係に基づきプリセット・ファンクション兼用キー６２〜６６に対応付けされたオーディオファイルを選択し、そのオーディオファイルを読取部１１に読み取らせ、その読み取ったオーディオファイルをコーデック１２に再生させる。
なお、プリセットしたオーディオファイルの再生が終了した場合、システムコントローラ２は次のオーディオファイルを読取部１１に読み取らせ、その読み取ったオーディオファイルをコーデック１２に再生させる。
【００３８】
プリセット・ファンクション兼用キー６１〜６６は、車載用オーディオ装置１がオーディオ機能として動作しているときにプリセットキーとして割り当てられるだけでなく、車載用オーディオ装置１がラジオ機能として動作しているときにもプリセットキーとして割り当てられる。
即ち、チューナー８によって選択された同調周波数の放送信号が復調されて切替スイッチ１０からアンプ１３に出力されている場合に、プリセット・ファンクション兼用キー６１が長押しされると、システムコントローラ２は現在の同調周波数をプリセット・ファンクション兼用キー６１に対応付けした対応関係を記憶部４に記憶する。一方、プリセット・ファンクション兼用キー６１が短押しされた場合、システムコントローラ２は記憶部４に記憶された対応関係に基づきプリセット・ファンクション兼用キー６１に対応付けされた同調周波数を選択し、その同調周波数となるようにチューナー８を制御する。
【００３９】
なお、ユーザがプリセット・ファンクション兼用キー６１〜６６を長押しすることで、システムコントローラ２がプリセット・ファンクション兼用キー６１〜６６とオーディオファイルの対応関係を記憶部４に記憶するが、このような対応関係が記録媒体１５に予め記録されていても良い。この場合には、プリセット・ファンクション兼用キー６１〜６６が短押しされた場合、システムコントローラ２はプリセット・ファンクション兼用キー６１〜６６に対応付けされたオーディオファイルを記録媒体１５に記録された対応関係により選択し、そのオーディオファイルを読取部１１に読み取らせ、その読み取ったオーディオファイルをコーデック１２に再生させる。
【００４０】
以上のように本実施形態によれば、好みの曲のオーディオファイルの再生中にユーザがプリセット・ファンクション兼用キー６１〜６６を長押しすると、再生中のオーディオファイルがプリセット・ファンクション兼用キー６１〜６６に対応付けられ、ユーザがプリセット・ファンクション兼用キー６１〜６６を短押しすると、対応付けられたオーディオファイルが再生されるので、好みの曲をすぐに再生して聴くことができる。
【００４１】
また、プリセット・ファンクション兼用キー６１〜６６の押下操作だけで、オーディオファイルの対応付けや再生を行えるので、自動車の運転中の操作が簡略化され、安全に運転することができる。
【００４２】
また、曲のオーディオファイルをプリセット・ファンクション兼用キー６１〜６６に対応付ける操作と、ラジオ局の同調周波数をプリセット・ファンクション兼用キー６１〜６６に対応付ける操作が同じである。更には、曲のオーディオファイルを再生する操作と、ラジオ局の同調周波数に設定する操作とが同じである。そのため、ユーザにとって操作の簡単な車載用オーディオ装置１を提供することができる。
【００４３】
また、プリセット・ファンクション兼用キー６１〜６６が、曲（オーディオファイル）を選択するためのファンクションキーと、曲（オーディオファイル）を割り当てるためのプリセットキーとに兼用されているので、入力部６の操作キーが多くならない。
【００４４】
〔変形例１〕
プリセット・ファンクション兼用キー６１〜６６それぞれに１つのオーディオファイルを対応付けるのではなく、複数のオーディオファイルを対応付けても良い。
この場合、図４に示すように、モード切替キー６７の代わりにマルチファンクション切替キー９９が設けられている。また、表示部５には、プリセット・ファンクション兼用キー６１〜６６それぞれの上に番号が表示され、マルチファンクション切替キー９９が押される毎に表示部５に表示される番号がプリセット・ファンクション兼用キー６１〜６６の数（即ち、”６”）だけ加算される。
【００４５】
そして、車載用オーディオ装置１がオーディオ機能として動作している場合に、記録媒体１５に記録されたフォルダの中から１つのフォルダがシステムコントローラ２によって選択されて、そのフォルダ内のオーディオファイルがシステムコントローラ２によって選択されてコーデック１２によって再生されているときに、プリセット・ファンクション兼用キー６１が長押しされると、システムコントローラ２は現在再生中のオーディオファイルを現在表示中のプリセット・ファンクション兼用キー６１の番号に対応付けするよう記憶部４に記憶する。ここで、マルチファンクション切替キー９９が押されると表示部５に表示されるプリセット・ファンクション兼用キー６１が”６”だけ加算され、その後、プリセット・ファンクション兼用キー６１が長押しされると、システムコントローラ２は現在再生中のオーディオファイルを現在表示中のプリセット・ファンクション兼用キー６１の番号に対応付けするよう記憶部４に記憶する。これにより、プリセット・ファンクション兼用キー６１に複数のオーディオファイルが対応付けられる。プリセット・ファンクション兼用キー６２〜６６が長押しされた場合でも同様に、システムコントローラ２は現在再生中のオーディオファイルをプリセット・ファンクション兼用キー６２〜６６の表示番号に対応付けするよう記憶部４に記憶する。
【００４６】
また、車載用オーディオ装置１がオーディオ機能として動作している場合、プリセット・ファンクション兼用キー６１が短押しされると、システムコントローラ２は記憶部４に記憶された対応関係に基づき表示部５に表示されたプリセット・ファンクション兼用キー６１の番号に対応付けされたオーディオファイルを選択し、そのオーディオファイルを読取部１１に読み取らせ、その読み取ったオーディオファイルをコーデック１２に再生させる。ここで、マルチファンクション切替キー９９が押されると表示部５に表示されるプリセット・ファンクション兼用キー６１が”６”だけ加算され、その後、プリセット・ファンクション兼用キー６１が短押しされると、システムコントローラ２は記憶部４に記憶された対応関係に基づき表示部５に表示されたプリセット・ファンクション兼用キー６１の番号に対応付けされたオーディオファイルを選択し、そのオーディオファイルを読取部１１に読み取らせ、その読み取ったオーディオファイルをコーデック１２に再生させる。プリセット・ファンクション兼用キー６２〜６６が短押しされた場合でも同様に、システムコントローラ２は記憶部４に記憶された対応関係に基づきプリセット・ファンクション兼用キー６２〜６６の表示番号に対応付けされたオーディオファイルを選択し、そのオーディオファイルを読取部１１に読み取らせ、その読み取ったオーディオファイルをコーデック１２に再生させる。
【００４７】
なお、プリセット・ファンクション兼用キー６１〜６６に複数のオーディオファイルを対応付けることを除いては、入力部６の各キーの割り当てとシステムコントローラ２の機能は上記実施形態と同様である。
【００４８】
〔変形例２〕
プリセット・ファンクション兼用キー６１〜６６にオーディオファイルを対応付ける代わりにフォルダを対応付けても良い。
即ち、車載用オーディオ装置１がオーディオ機能として動作している場合に、記録媒体１５に記録されたフォルダの中から１つのフォルダがシステムコントローラ２によって選択されているときに、プリセット・ファンクション兼用キー６１が長押しされると、システムコントローラ２は現在選択中のフォルダ（即ち、再生中のオーディオファイルが含まれたフォルダ）をプリセット・ファンクション兼用キー６１に対応付けするよう記憶部４に記憶する。プリセット・ファンクション兼用キー６２〜６６が長押しされた場合でも同様に、システムコントローラ２は現在選択中のフォルダをプリセット・ファンクション兼用キー６２〜６６に対応付けするよう記憶部４に記憶する。
【００４９】
また、車載用オーディオ装置１がオーディオ機能として動作している場合に、プリセット・ファンクション兼用キー６１が短押しされると、システムコントローラ２は記憶部４に記憶された対応関係に基づきプリセット・ファンクション兼用キー６１に対応付けされたフォルダを選択し、そのフォルダ内のオーディオファイルを順次読取部１１に読み取らせ、それらオーディオファイルをコーデック１２に順次再生させる。プリセット・ファンクション兼用キー６２〜６６が短押しされた場合でも同様に、システムコントローラ２は記憶部４に記憶された対応関係に基づきプリセット・ファンクション兼用キー６２〜６６に対応付けされたフォルダを選択し、そのフォルダ内のオーディオファイルを読取部１１に順次読み取らせ、そのフォルダ内のオーディオファイルをコーデック１２に順次再生させる。この場合、システムコントローラ２はオーディオファイルの最後までコーデック１２に再生させる。
【００５０】
なお、ユーザがプリセット・ファンクション兼用キー６１〜６６を長押しすることで、システムコントローラ２がプリセット・ファンクション兼用キー６１〜６６とフォルダの対応関係を記憶部４に記憶するが、このような対応関係が記録媒体１５に予め記録されていても良い。
【００５１】
また、ユーザがプリセット・ファンクション兼用キー６１〜６６を長押しすることで、システムコントローラ２がプリセット・ファンクション兼用キー６１〜６６とオーディオファイルの対応関係を記憶部４に記憶するが、システムコントローラ２がこのような対応関係を履歴により記憶部４に記憶しても良い。即ち、システムコントローラ２がフォルダ毎にそれぞれのフォルダ内の再生されたオーディオファイルの回数を蓄積し、再生回数の多いフォルダから順にプリセット・ファンクション兼用キー６１〜６６に対応付けした対応関係を記憶部４に記憶しても良い。
【００５２】
なお、プリセット・ファンクション兼用キー６１〜６６にフォルダを対応付けることを除いては、入力部６の各キーの割り当てとシステムコントローラ２の機能は上記実施形態と同様である。
【００５３】
以上のように、好みの曲のオーディオファイルの再生中にユーザがプリセット・ファンクション兼用キー６１〜６６を長押しすると、再生中のオーディオファイルを含まれたフォルダがプリセット・ファンクション兼用キー６１〜６６に対応付けられ、ユーザがプリセット・ファンクション兼用キー６１〜６６を短押しすると、対応付けられたフォルダ内のオーディオファイルが順次再生されるので、好みの曲をすぐに再生して聴くことができる。
【００５４】
〔変形例３〕
プリセット・ファンクション兼用キー６１〜６６にオーディオファイルを対応付ける代わりにファイルリストを対応付けても良い。即ち、車載用オーディオ装置１がオーディオ機能として動作している場合、プリセット・ファンクション兼用キー６１が長押しされるごとに、システムコントローラ２は現在選択中のオーディオファイルをプリセット・ファンクション兼用キー６１に対応付けするよう記憶部４に蓄積することで、プリセット・ファンクション兼用キー６１に複数のオーディオファイルが対応付けされたファイルリストが記憶部４に作成される。プリセット・ファンクション兼用キー６２〜６６が長押しされた場合でも同様に、システムコントローラ２は現在選択中のオーディオファイルをプリセット・ファンクション兼用キー６２〜６６に対応付けするよう記憶部４に蓄積することで、プリセット・ファンクション兼用キー６２〜６６に複数のオーディオファイルが対応付けられたファイルリストが記憶部４に作成される。
【００５５】
なお、ファイルリストにあるオーディオファイルは同一フォルダのものとし別フォルダのオーディオファイルはファイルリストに加わえないようにしても良い。例えば、プリセット・ファンクション兼用キー６１が長押しされる時に再生されているオーディオファイルが、プリセット・ファンクション兼用キー６１に対応付けされたファイルリストの各オーディオファイルのフォルダとは異なる場合には、システムコントローラ２は現在選択中のオーディオファイルについて記憶部４に蓄積しない。
【００５６】
また、車載用オーディオ装置１がオーディオ機能として動作している場合、プリセット・ファンクション兼用キー６１が短押しされると、システムコントローラ２はプリセット・ファンクション兼用キー６１に対応付けされたファイルリストを記憶部４から読み取り、ファイルリストにあるオーディオファイルを順次読取部１１に読み取らせ、それらオーディオファイルをコーデック１２に順次再生させる。プリセット・ファンクション兼用キー６２〜６６が短押しされた場合でも同様に、システムコントローラ２はプリセット・ファンクション兼用キー６２〜６６に対応付けされたファイルリストを記憶部４から読み取り、ファイルリストにあるオーディオファイルを読取部１１に順次読み取らせ、それらオーディオファイルをコーデック１２に順次再生させる。ファイルリストにあるオーディオファイルが同一フォルダのものであれば、フォルダごとにお気に入りの曲が再生される。
【００５７】
ファイルリストにあるオーディオファイルを順次再生するに際して、システムコントローラ２はランダムな順番でファイルリストにあるオーディオファイルを読取部１１に読み取らせても良いし、決まった順番（例えば、ファイル番号の順）でファイルリストにあるオーディオファイルを読取部１１に読み取らせても良い。また、システムコントローラ２がファイルリストに従ってオーディオファイルを読取部１１に読み取らせるに際して、システムコントローラ２が各オーディオファイル全体の再生が終了した後に次のオーディオファイルを読取部１１に読み取らせるようにしても良いし、システムコントローラ２がスキャン再生のように、各オーディオファイルの最初の所定時間だけを再生した後に次のオーディオファイルを読取部１１に読み取らせるようにしても良い。
【００５８】
なお、プリセット・ファンクション兼用キー６１〜６６にファイルリストを対応付けることを除いては、入力部６の各キーの割り当てとシステムコントローラ２の機能は上記実施形態と同様である。
【００５９】
以上のように、好みの曲のオーディオファイルの再生中にユーザがプリセット・ファンクション兼用キー６１〜６６を長押しすると、再生中のオーディオファイルがプリセット・ファンクション兼用キー６１〜６６のファイルリストに加えられ、ユーザがプリセット・ファンクション兼用キー６１〜６６を短押しすると、ファイルリストにあるオーディオファイルが順次再生されるので、好みの曲をすぐに再生して聴くことができる。
【００６０】
〔変形例４〕
記録媒体１５が、複数のオーディオトラックを記録したＣＤ−ＤＡ型の記録媒体（所謂音楽ＣＤ）であっても良い。この場合、コーデック１２は記録媒体１５に記録されたオーディオトラックを再生し、そのオーディオ信号を切替スイッチ１０を介してアンプ１３に出力する。
【００６１】
また、車載用オーディオ装置１がオーディオ機能として動作している場合、記録媒体１５に記録されたオーディオトラックの中から１つのオーディオトラックがシステムコントローラ２によって選択されて、オーディオトラックがシステムコントローラ２によって再生されているときに、プリセット・ファンクション兼用キー６１が長押しされると、システムコントローラ２は現在再生中のオーディオトラックをプリセット・ファンクション兼用キー６１に対応付けした対応関係を記憶部４に記憶する。プリセット・ファンクション兼用キー６２〜６６が長押しされた場合でも同様に、システムコントローラ２は現在再生中のオーディオトラックをプリセット・ファンクション兼用キー６２〜６６に対応付けした対応関係を記憶部４に記憶する。
【００６２】
また、プリセット・ファンクション兼用キー６１が短押しされると、システムコントローラ２は記憶部４に記憶された対応関係に基づきプリセット・ファンクション兼用キー６１に対応付けされたオーディオトラックを選択し、そのオーディオトラックを読取部１１に読み取らせ、その読み取ったオーディオトラックをコーデック１２に再生させる。プリセット・ファンクション兼用キー６２〜６６が短押しされた場合でも同様に、システムコントローラ２は記憶部４に記憶された対応関係に基づきプリセット・ファンクション兼用キー６２〜６６に対応付けされたオーディオトラックを選択し、そのオーディオトラックを読取部１１に読み取らせ、その読み取ったオーディオファイルをコーデック１２に再生させる。
【００６３】
なお、プリセット・ファンクション兼用キー６１〜６６にオーディオトラックを対応付けることを除いては、入力部６の各キーの割り当てとシステムコントローラ２の機能は上記実施形態と同様である。
【００６４】
以上のように、好みの曲のオーディオトラックの再生中にユーザがプリセット・ファンクション兼用キー６１〜６６を長押しすると、再生中のオーディオトラックがプリセット・ファンクション兼用キー６１〜６６に対応付けられ、ユーザがプリセット・ファンクション兼用キー６１〜６６を短押しすると、対応付けられたオーディオが再生されるので、好みの曲をすぐに再生して聴くことができる。
【００６５】
〔変形例５〕
読取部１１がチェンジャー型であっても良い。即ち、読取部１１には複数の記録媒体を収納可能であり、これら記録媒体には収納個所によって固有の番号が対応付けられる。この場合、読取部１１に収納された複数の記録媒体のうち何れかが読取部１１によって読み取られている場合、プリセット・ファンクション兼用キー６１が長押しされると、システムコントローラ２は読み取り中の記録媒体をプリセット・ファンクション兼用キー６１に対応付けするよう記憶部４に記憶する。プリセット・ファンクション兼用キー６２〜６６が長押しされた場合でも同様に、システムコントローラ２は現在読み取り中の記録媒体をプリセット・ファンクション兼用キー６２〜６６に対応付けするよう記憶部４に記憶する。
【００６６】
また、プリセット・ファンクション兼用キー６１が短押しされると、システムコントローラ２は記憶部４に記憶された対応関係に基づきプリセット・ファンクション兼用キー６１に対応付けされた記録媒体を選択し、その記録媒体を読取部１１に読み取らせ、その記録媒体に記録されたオーディオファイル又はオーディオトラックをコーデック１２に再生させる。プリセット・ファンクション兼用キー６２〜６６が短押しされた場合でも同様に、システムコントローラ２は記憶部４に記憶された対応関係に基づきプリセット・ファンクション兼用キー６２〜６６に対応付けされた記録媒体を選択し、その記録媒体を読取部１１に読み取らせ、その記録媒体に記録されたオーディオファイル又はオーディオトラックをコーデック１２に再生させる。
【００６７】
なお、プリセット・ファンクション兼用キー６１〜６６に記録媒体を対応付けることを除いては、入力部６の各キーの割り当てとシステムコントローラ２の機能は上記実施形態と同様である。
【００６８】
以上のように、好みの曲のオーディオトラック又はオーディオファイルの再生中にユーザがプリセット・ファンクション兼用キー６１〜６６を長押しすると、再生中のオーディオトラック又はオーディオファイルが記録された記録媒体がプリセット・ファンクション兼用キー６１〜６６に対応付けられ、ユーザがプリセット・ファンクション兼用キー６１〜６６を短押しすると、対応付けられた記録媒体中のオーディオトラック又はオーディオファイルが順次再生されるので、好みの曲をすぐに再生して聴くことができる。
【００６９】
なお、上記実施形態、変形例において、”長押し”と”短押し”の関係を逆とし、プリセット・ファンクション兼用キー６１〜６６が短押しされることで、プリセット・ファンクション兼用キー６１〜６６に再生中のオーディオファイル等が対応付けられ、プリセット・ファンクション兼用キー６１〜６６が長押しされることで、対応付けられたオーディオファイル等が読み出されて再生されるものとしても良い。
【図面の簡単な説明】
【００７０】
【図１】車載用オーディオ装置のブロック図である。
【図２】車載用オーディオ装置の正面図である。
【図３】記録媒体のフォルダ階層構造の一例を示した図である。
【図４】変形例の車載用オーディオ装置の正面図である。
【符号の説明】
【００７１】
１  車載用オーディオ装置
２  システムコントローラ
４  記憶部
６  入力部
８  チューナー
９  復調部
１０  スイッチ
１１  読取部
１２  コーデック
１４  スピーカ
１５  記録媒体
６１〜６６  プリセット・ファンクション兼用キー
【図１】
0004635841.tif 000002
【図２】
0004635841.tif 000003
【図３】
0004635841.tif 000004
【図４】
0004635841.tif 000005